(57)【要約】      （修正有）【課題】清潔で安全性に富むスタンド式石鹸本体置きセットを提供する。【解決手段】垂直壁面の上に掛設され、もしくは水平台面に所定の角度を呈してからその上に設けられるスタンド式石鹸本体置きセット２であって、接合体２１と、石鹸本体２２と、を備える。また、該接合体は、石鹸受け面２１１を具備し、そしてその反対側に付着面２１２を具備し、該付着面は、該垂直壁面或いは該水平台面の上に設けられ、それに該石鹸本体は、該石鹸受け面と連結してなる。使用時に、該付着面は該垂直壁面に設けられ、もしくは該所定の角度で該水平台面の上に設けられる場合には、水分が重力の牽引により滴下することによって、石鹸表面の清涼／爽快感が保持される。【選択図】図２
0003172826.tif 000002
【実用新案登録請求の範囲】
【請求項１】
垂直壁面の上に掛設されるスタンド式石鹸本体置きセットであって、
相互に背合わせにした石鹸受け面及び付着面を具備する接合体と、
前記石鹸受け面と連結し、前記接合体の前記付着面が前記垂直壁面に装設される場合、地面と垂直に呈される石鹸本体と、
を備えることを特徴とする、スタンド式石鹸本体置きセット。
【請求項２】
前記石鹸受け面はさらに凸出部を具備し、且つ前記凸出部が前記石鹸本体に挿入するように設けられることを特徴とする、請求項１に記載のスタンド式石鹸本体置きセット。
【請求項３】
複数の粘着層をさらに備え、それぞれ前記石鹸受け面或いは前記付着面に設けられることを特徴とする、請求項１に記載のスタンド式石鹸本体置きセット。
【請求項４】
掛設部及び着設部をさらに備え、それぞれ前記付着面及び前記垂直壁面の上に設けられることを特徴とする、請求項１に記載のスタンド式石鹸本体置きセット。
【請求項５】
水平台面に設けられるスタンド式石鹸本体置きセットであって、
石鹸受け面及び付着面を具備し、且つ前記石鹸受け面と、前記付着面とは所定の角度で相互に傾斜しており、前記石鹸受け面と前記付着面とが背合わせするようになる接合体と、
前記石鹸受け面と連結し、前記接合体の前記付着面が前記水平台面に設けられる場合、地面と前記所定の角度に呈される石鹸本体と、
を備えることを特徴とする、スタンド式石鹸本体置きセット。
【請求項６】
前記所定の角度は、３０度〜９０度にあることを特徴とする、請求項５に記載のスタンド式石鹸本体置きセット。
【請求項７】
複数の粘着層をさらに備え、前記付着面に設けられることことを特徴とする、請求項５に記載のスタンド式石鹸本体置きセット。
【考案の詳細な説明】
【技術分野】
【０００１】
本考案は、石鹸本体分野に属し、特に、一種のスタンド式石鹸本体置きセット（接合体付き石鹸）に関する。
【背景技術】
【０００２】
従来により、一般的に市場での石鹸或いは液体石鹸では、より強い洗浄力を有させるために界面活性剤をそれらの中に添加し、それに起因した環境ホルモンは既に不可逆的災害を引き起こし、しかもそれが有している親水基と親油基の特性によって、飲用水、河川及び海等にいずれも脅威を受けさせられている。そのため、天然製作の過程の香り入り石鹸或いは洗剤は、真正的、適応的な解決手段である。
【０００３】
しかして、一般的に香り入り石鹸といった石鹸本体は、通常では水の近傍箇所に設置され、市販されている載置用の石鹸置きケースは、通風排水孔の設計を有しているが、使用後では依然として石鹸本体を水溜まりの環境に置かせることとなり、長期にわたって、細菌の繁殖で手洗いの善意がにウイルスの温床に変わってしまった。
これに鑑み、本考案の考案者が以前に出願した台湾登録実用新案第Ｍ４００２９３号「石鹸置きケース」のように、既にこの欠点について考案し、改善を行い、そして図１の従来の石鹸置きケースの立体分解図が参照される。図に示すように、該石鹸置きケース１は、四周に仕切壁を具備して収容室１１が密閉形成される容器１０と、該収容室１１内に設けられる手作りの石鹸１２とを備える。
結合した後の該石鹸置きケース１の底部は垂直壁面に平行に掛設されることにより、使用前・後の状態にて、重力の牽引により水分を滴下させることによって、ケース内に溜まりがなく乾燥を保持しており、伝統のような細菌或いはウイルスが繁殖しやすい憾みを一変させた。
【０００４】
しかしながら、上述した従来技術である考案した特許は、未だに使用上の憾みが存在している。吊掛使用の過程において、該手作りの石鹸１２と該容器１０との間に何らの連接及び固着方式がないため、該手作りの石鹸１２と該容器１０との間には緩みが発生しやすく該手作りの石鹸１２が該収容室１１から落下して浴室或いは洗面所に隠れた危険を引き起す。
【０００５】
これに鑑み、本考案者は、石鹸置きケース設計の経験を長年にわたって蓄積し、スタンド式石鹸本体置きセットの研究開発が遂に成功し、従来の石鹸置きケース設計とは相違して、本考案では、接合体と石鹸本体とを安定に組み合わせ後、垂直壁面に確固として吊掛され、使用後において、水分が重力の牽引によって滴下することによって、石鹸表面をドライ／爽快の状態で表示させるようにする。
又、本考案はさらに一種の実施方式を提供し、傾斜角度を呈して水平台面の上に設けられ、精密な計算を経て設定された該傾斜角度によって、水分が同じ理由で石鹸表面から滑落し、且つこの種の活発的な傾斜方式によって、使用者に設計上の独具匠心を感じることになる。そして、該石鹸本体の成分において界面活性剤不使用の天然な手作りの製法を採用して、使用者が安心して使用することができるのみならず、地球環境保全に関しても工夫と手間をかけて取り組まれている。
【先行技術文献】
【特許文献】
【０００６】
【特許文献１】台湾登録実用新案第Ｍ４００２９３号明細書
【考案の概要】
【考案が解決しようとする課題】
【０００７】
本考案の目的は、一種のスタンド式石鹸本体置きセットを提供することを目的とし、石鹸本体を安定に石鹸置きケース内に設置させて垂直壁面に掛設され、もしくは該石鹸本体を直接に垂直壁面に掛設させることによって、石鹸表面を同時に壁面に平行に保持させて、ケース内の水分が重力の牽引により滴下させることによって、該石鹸本体をドライ／爽快の状態で表示させるようにする。
【課題を解決するための手段】
【０００８】
上記目的を達するために、本考案のスタンド式石鹸本体置きセットは、垂直壁面の上に掛設され、本考案では、石鹸受け面を具備し、そしてその反対側に付着面を具備する接合体と、該石鹸受け面と連結し、該接合体の該付着面が該垂直壁面に装設される場合、地面と垂直に呈される石鹸本体と、を備える。また、該石鹸受け面及び該付着面は複数の粘着層をさらに備えることによって、該石鹸本体と該接合体との間、及び該接合体と該垂直壁面との間により安定に設置させるようにする。
【０００９】
また、該石鹸受け面はさらに凸出部を具備し、且つ該凸出部によって、その石鹸受け面を凹凸粗い面を具備させることによって石鹸受け面が石鹸本体と結合するの接触面積を増加し、該石鹸本体を該石鹸受け面により緊密に結合させて、該垂直壁面から落下することが引き起こさなくなるようにする。
【００１０】
一実施例において、本考案をより湿気の重い環境に適応させるために該接合体と該垂直壁面との間には、掛け本体セットをさらに備え、該掛け本体セットは、掛設部及び着設部を具備し、そしてそれぞれ該付着面及び該垂直壁面の上に設けられる。
【００１１】
本考案の別の目的は、該石鹸本体を石鹸置きケース内に安定に設置させ、そして水平テーブル面に傾斜し設置され、且つ該石鹸本体も重力の牽引により水分を滑落させることによって全体の乾燥を保持するようにするスタンド式石鹸本体置きセットを提供することにある。
【００１２】
本考案のさらに別の目的は、該石鹸本体が全天然材質を使用し、そして手作りで製作し、全程において何らの界面活性剤及び化学添加物を無添加し、しかも石鹸表面には特殊な彫刻パターンを施し、また、祭り、個性と環境配置に適応するようにし、使用前・後のいずれも美観及び快適感が保持されるスタンド式石鹸本体置きセットを提供することにある。
【００１３】
上記の目的を達するために、本考案のスタンド式石鹸本体置きセットは、水平台面に設けられ、本考案は、石鹸受け面及び付着面を具備し、且つ該石鹸受け面と、該付着面とは所定の角度で相互に傾斜しており、該石鹸受け面と該付着面とが背合わせするようになる接合体と、該石鹸受け面と連結し、該接合体の該付着面が該水平台面に設けられる場合、地面と該所定の角度に呈される石鹸本体と、を備える。また、該石鹸受け面及び該付着面は複数の粘着層をさらに備えることによって、該石鹸本体と該接合体との間、及び該接合体と該垂直壁面との間により安定に設置させるようにする。
【００１４】
また、該所定の角度は、３０度から９０度までの間にあって、各種の高さの水平台面及び使用者に合わせるようにする。
【図面の簡単な説明】
【００１５】
【図１】従来の石鹸置きケースの立体分解図である。
【図２】本考案の好適な実施例の第１の実施態様の立体分解図である。
【図３】本考案の好適な実施例の第２の実施態様の正面図である。
【図４】本考案の好適な実施例の第２の実施態様の背面図である。
【図５】本考案の好適な実施例の第３の実施態様の正面図である。
【図６】本考案の好適な実施例の第３の実施態様の背面図である。
【図７】本考案の好適な実施例の第４の実施態様の図である。
【図８】本考案の別の好適な実施例の第１の実施態様の側面図である。
【考案を実施するための形態】
【００１６】
本考案の内容についは、添付図面を参照して、以下の説明によって完全な理解が得られるであろう。
【実施例】
【００１７】
図２、図３、図４、図５、図６、図７を参照し、それぞれが本考案の好適な実施例の第１の実施態様の立体分解図と、第２の実施態様の正面図、及びその背面図と、第３の実施態様の正面図、及びその背面図と、第４の実施態様の図である。図から見れば、本考案のスタンド式石鹸本体置きセット２は、垂直壁面３の上に掛設され、本考案では、接合体２１と、石鹸本体２２と、を備え、なお、該石鹸本体２２は手作りの石鹸或いは一般的な石鹸であってもよい。
【００１８】
本考案のスタンド式石鹸本体置きセット２において、該接合体２１は、石鹸受け面２１１を具備し、そしてその反対側には付着面２１２を具備し、しかも該石鹸本体２２は、該石鹸受け面２１１と連結し、該接合体２１の該付着面２１２が該垂直壁面３に装設される場合において、該石鹸本体２２は、地面とはほぼ垂直角度に呈され、その垂直角度は更に垂直角度よりわずかに傾斜したθが０度から２０度までの間も含まれ、石鹸本体が重力の牽引により水分を滑落させることによって、全体の乾燥を保持するようにする。
【００１９】
図３及び図４に示すように、この好適な実施例の第２の実施態様において、該接合体２１は板状２１０１を呈し、該石鹸受け面２１１はさらに凸出部２１１１を具備し、且つ該凸出部２１１１が該石鹸本体２２に挿入するように設けられ、該石鹸本体２２が該接合体２１を介して該垂直壁面３の上に強固に設けさせられることが可能である。または凸出部２１１１によって、その石鹸受け面２１１を凹凸粗い面を具備させることによって、石鹸本体２２が石鹸受け面２１１に成形し、それにより、凸出部２１１１が石鹸本体２２と結合するの接触面積を増加する。そして該接合体２１の該付着面２１２は、複数の粘着層２１２１をさらに備え、該スタンド式石鹸本体置きセット２をタイル、ガラスなどのより円滑で平坦な物体の上に貼設させる。
【００２０】
続いて図５及び図６に示すようなこの好適な実施例の第３の実施態様の正面図、及びその背面図を併せて参照する。これらの図に示すように、該接合体２１は、ケース状２１０２を呈し、該接合体２１は収容空間（図示しない）を具備し、そして該石鹸受け面２１１に設けられることによって該石鹸本体２２を直接に成形させて該収容空間内の石鹸受け面２１１の上に粘着される。その他に、該石鹸本体２２と該接合体２１との間の接着性を補強するために、該石鹸受け面２１１はさらにそれらの粘着層２１２１（図２参照）を具備してもよいし、もしくは該石鹸受け面２１１と結合し、該凸出部２１１１によって該石鹸本体２２を該石鹸受け面２１１の上に堅固に設けられるよにする。
【００２１】
さらに図７に示すようなこの好適な実施例の第４の実施態様の図を参照する。この図に示すように、より湿度の高い環境及び場所で使用しようとする場合では、該接合体２１と該垂直壁面３との間の安定的な設置をより補強すべきであり、それにより、本考案は掛設部２１２２及び着設部２１２３をさらに備え、それぞれ該付着面２１２及び該垂直壁面３の上に設けられ、且つ該掛設部２１２２及び着設部２１２３の組み合わせは双冂字型或いは磁石付き型であってもよいし、もしくは該掛設部２１２２はただ開孔であり、且つ該着設部２１２３は掛け釘であってもよいので、本考案を該掛設部２１２２を介して該着設部２１２３に無断掛止するようにさせる。
【００２２】
それから、図８に示すような本考案の別の好適な実施例の第１の実施態様の側面図を参照する。この図に示すように、この別の好適な実施例は、水平台面に設けられ、接合体２１及び石鹸本体２２を備える。
【００２３】
また、接合体２１は三角ケース状を呈してもよいし、三角の板状で表示してもよい。該接合体２１は、石鹸受け面２１１及び付着面２１２を具備し、該石鹸受け面２１１と該付着面２１２とは所定の角度θ２１３で傾斜しており、且つ該石鹸受け面２１１は該付着面２１２と背合わせするようになり、そして該石鹸本体２２は該石鹸受け面２１１と連結し、該接合体２１の該付着面２１２が該水平台面４に設けられる場合、該石鹸本体２２は地面と該所定の角度θ２１３に呈されている。
【００２４】
図８に示すように、該接合体２１は収容空間（図示しない）を具備し、そして該石鹸受け面２１１に設けられることによって該石鹸本体２２を直接にその空間内に成形させ、且つ該石鹸本体２２と該接合体２１との間、及び該付着面２１２と該水平台面４との間の接着性を補強するために、該石鹸受け面２１１及び該付着面２１２はさらにそれらの粘着層２１２１を具備することによって該石鹸本体２２を該石鹸受け面２１１の上に堅固に設けられるよにする。該石鹸本体２２を該水平台面４に使用する時に、該所定の角度θ２１３は、３０度から９０度までの間にあって、その高さは該水平台面４の異なる高さの要求に応じて調整することが可能である。
【００２５】
以上に述べた通り、本考案は該接合体２１と該石鹸本体２２を利用し、粘着方式或いは挿設方式を利用して安定に組み合せた後、該垂直壁面３の上に無断吊掛することが可能で脱落が引き起こさなくなるようにして、従来、落下が発生しやすいとう欠点がなくなる。使用後には、水分が重力の牽引により滴下することによって、石鹸表面をドライ／爽快の状態で表示させるようにする。
又、本考案はさらに一種の実施方式を提供し、方式としては該水平台面４と傾斜角度を呈してそしてその上に設けられ、精密な計算を経て設定された該傾斜角度によって、水分が同じ理由で石鹸表面から滑落し、しかも全体のドライ／爽快感が保持される。そして、該石鹸本体２２の成分において界面活性剤不使用の天然な手作りの製法を採用して、使用者が安心して使用することができるのみならず、地球環境保全に関しても工夫と手間をかけて取り組まれており、人類文明の進歩による招いた生態系の破壊の災害を大幅に改善される。
【００２６】
唯、以上に述べたことは、単に本考案の好適な実施例であり、本考案の実施範囲になんらの制限を加わるものではない。よって、当該考案の属する技術分野における通常の知識を有する者、或いは当該技術を熟練して等効果或いは簡単な変更を行える者であれば、本考案の精神と範囲を逸脱しない限り、その等効果変更又は修正は、なお、本考案の範囲内に含まれるものとする。
【符号の説明】
【００２７】
１          石鹸置きケース
１０        容器
１１        収容室
１２        手作りの石鹸
２          スタンド式石鹸本体置きセット
２１        接合体
２１０１    板状
２１０２    ケース状
２１１      石鹸受け面
２１１１    凸出部
２１２      付着面
２１２１    粘着層
２１２２    掛設部
２１２３    着設部
２１３      所定の角度
２２        石鹸本体
３          垂直壁面
４          水平台面
【図１】
0003172826.tif 000003
【図２】
0003172826.tif 000004
【図３】
0003172826.tif 000005
【図４】
0003172826.tif 000006
【図５】
0003172826.tif 000007
【図６】
0003172826.tif 000008
【図７】
0003172826.tif 000009
【図８】
0003172826.tif 000010